(57)【要約】  【課題】  緊急警報放送の受信を判別する判別時間を短縮でき、消費電力を削減することができる緊急警報放送検出装置および方法、放送受信装置および方法を提供する。  【解決手段】  ＥＷＳ検出部１３は、チューナ部１２により受信された多重された複数のトランスポートストリームからなるデジタル放送波から緊急警報放送起動用フラグを検出した場合に、ＥＷＳ信号を論理回路１４に出力する。また、パケットの同期信号が安定して検出される場合にＬＯＣＫ信号を論理回路１４に出力する。サブＣＰＵ１５は、論理回路１４から出力される緊急警報放送起動用フラグが検出され、且つＴＳパケットの同期バイトが検出されるか否かに応じたレベルの論理回路出力信号に基づき緊急警報放送がなされていることを判定する。緊急警報放送がなされていると判定された場合、メイン電源をオンとして緊急警報放送を出力する。【選択図】        図５
2005079752.tif 000002
【特許請求の範囲】
【請求項１】
デジタル放送における緊急警報放送を検出する緊急警報放送検出装置において、
多重された複数のトランスポートストリームを受信する受信手段と、
上記複数のトランスポートストリーム毎に設けられた緊急警報放送の開始を知らせる緊急警報放送起動用フラグを検出し、上記緊急警報放送起動用フラグが検出されたか否かに応じたレベルの第１の検出信号を出力する第１の検出手段と、
上記トランスポートストリームを構成するパケットの同期バイトを検出し、上記同期バイトが安定して検出されたか否かに応じたレベルの第２の検出信号を出力する第２の検出手段と、
上記第１の検出信号と上記第２の検出信号により、上記緊急警報放送起動用フラグが検出され、且つ上記同期バイトが安定して検出されるときに緊急警報放送がなされていると判定する判定手段とを有する
ことを特徴とする緊急警報放送検出装置。
【請求項２】
デジタル放送における緊急警報放送を検出する緊急警報放送検出方法において、
多重された複数のトランスポートストリームを受信する受信ステップと、
上記複数のトランスポートストリーム毎に設けられた緊急警報放送の開始を知らせる緊急警報放送起動用フラグを検出し、上記緊急警報放送起動用フラグが検出されたか否かに応じたレベルの第１の検出信号を出力する第１の検出ステップと、
上記トランスポートストリームを構成するパケットの同期バイトを検出し、上記同期バイトが安定して検出されたか否かに応じたレベルの第２の検出信号を出力する第２の検出ステップと、
上記第１の検出信号と上記第２の検出信号により、上記緊急警報放送起動用フラグが検出され、且つ上記同期バイトが安定して検出されるときに緊急警報放送がなされていると判定する判定ステップとを有する
ことを特徴とする緊急警報放送検出方法。
【請求項３】
スタンバイ状態で検出されたデジタル放送における緊急警報放送を出力可能とされた放送受信装置において、
多重された複数のトランスポートストリームを受信する受信手段と、
上記複数のトランスポートストリーム毎に設けられた緊急警報放送の開始を知らせる緊急警報放送起動用フラグを検出し、上記緊急警報放送起動用フラグが検出されたか否かに応じたレベルの第１の検出信号を出力する第１の検出手段と、
上記トランスポートストリームを構成するパケットの同期バイトを検出し、上記同期バイトが安定して検出されたか否かに応じたレベルの第２の検出信号を出力する第２の検出手段と、
上記第１の検出信号と上記第２の検出信号により、上記緊急警報放送起動用フラグが検出され、且つ上記同期バイトが安定して検出されるときに緊急警報放送がなされていると判定する判定手段とを有し、
スタンバイ状態で上記判定手段により緊急警報放送がなされていると判定された場合に、上記スタンバイ状態を解除して上記緊急警報放送を出力する
ことを特徴とする放送受信装置。
【請求項４】
請求項３に記載の放送受信装置において、
上記スタンバイ状態での処理をスタンバイ電源により動作するサブＣＰＵにより行い、上記緊急警報放送の出力をメイン電源により動作するメインＣＰＵにより行うことを特徴とする放送受信装置。
【請求項５】
スタンバイ状態で検出されたデジタル放送における緊急警報放送を出力可能とされた放送受信方法において、
多重された複数のトランスポートストリームを受信する受信ステップと、
上記複数のトランスポートストリーム毎に設けられた緊急警報放送の開始を知らせる緊急警報放送起動用フラグを検出し、上記緊急警報放送起動用フラグが検出されたか否かに応じたレベルの第１の検出信号を出力する第１の検出ステップと、
上記トランスポートストリームを構成するパケットの同期バイトを検出し、上記同期バイトが安定して検出されたか否かに応じたレベルの第２の検出信号を出力する第２の検出ステップと、
上記第１の検出信号と上記第２の検出信号により、上記緊急警報放送起動用フラグが検出され、且つ上記同期バイトが安定して検出されるときに緊急警報放送がなされていると判定する判定ステップとを用い、
スタンバイ状態で上記判定ステップにより緊急警報放送がなされていると判定された場合に、上記スタンバイ状態を解除して上記緊急警報放送を出力する
ことを特徴とする放送受信方法。
【発明の詳細な説明】
【技術分野】
【０００１】
この発明は、緊急警報放送検出装置および方法、放送受信装置および方法に関し、特にデジタル放送における緊急警報放送の検出が可能な緊急警報放送検出装置および方法、放送受信装置および方法に関する。
【背景技術】
【０００２】
２０００年１２月より、ＢＳ（Broadcasting Satellite）デジタル放送が開始されている。また、２００３年１２月からは、地上デジタル放送が開始される予定である。これらデジタル放送の運用には、緊急警報放送システム（Emergency Warning System；ＥＷＳ）というものが定義されている。
【０００３】
緊急警報放送システムでは、大地震、津波などの人的被害に関わるような大災害が想定される場合などに放送される緊急警報放送の開始を放送受信装置に知らせることで、スタンバイ状態の放送受信装置を自動的に起動して放送を受信させることが可能である。
【０００４】
図７は、従来の緊急警報放送の検出によりスタンバイ状態からメイン電源をオンとして、緊急警報放送を出力する機能を備えたデジタル放送を受信するセットトップボックスの一例の構成を示す。また、図８は、スタンバイ状態のセットトップボックスが緊急警報放送を出力するまでの一例の処理の流れを示す。図７および図８を参照してセットトップボックス（以下、適宜ＳＴＢと称する）１００の動作について説明する。
【０００５】
ＳＴＢ１００のチューナ部１０２は、受信アンテナ１０１を介してデジタル放送信号を受信し、増幅、周波数変換、およびフィルタリング等を行った後、中間周波（ＩＦ；Intermediate Frequency）信号として、ＥＷＳ検出部１０３および信号処理部１０８に供給する。
【０００６】
ＳＴＢ１００は、メイン電源がオフとされているスタンバイ状態であっても、スタンバイ電源回路１０７から供給されるスタンバイ電源でチューナ部１０２、ＥＷＳ検出部１０３およびサブＣＰＵ（Central Processing Unit）１０５等が動作可能とされている。ＥＷＳ検出部１０３は、チューナ部１０２から供給される中間周波の変調波を復調・復号して緊急警報放送起動用フラグを検出している。ＥＷＳ検出部１０３は、緊急警報放送起動用フラグを検出した場合は、例えばハイレベルのＥＷＳ信号をサブＣＰＵ１０５に供給し、緊急警報放送起動用フラグを検出しない場合は、例えばローレベルのＥＷＳ信号をサブＣＰＵ１０５に供給する。
【０００７】
スタンバイ状態で緊急警報放送が開始された場合、サブＣＰＵ１０５は、ＥＷＳ検出部１０３からのＥＷＳ信号を検出する（ステップＳ１１）。サブＣＰＵ１０５は、検出したＥＷＳ信号が安定しているか否かを判定する（ステップＳ１２）。ステップＳ１２でＥＷＳ信号が安定していないと判定された場合には、処理をステップＳ１１に戻し、サブＣＰＵ１０５は、再びＥＷＳ信号の検出を行う。ステップＳ１２でＥＷＳ信号が安定していると判定された場合には、サブＣＰＵ１０５は、電源制御信号をメイン電源回路１０６に供給する。
【０００８】
メイン電源回路１０６は、サブＣＰＵ１０５から供給される電源制御信号により、メイン電源をオンとする（ステップＳ１３）。そして、スタンバイ状態が解除され、信号処理部１０８およびメインＣＰＵ１０９が動作可能とされる。なお、信号処理部１０８は、メインＣＰＵ１０９の制御に基づき動作する。
【０００９】
上述したように、信号処理部１０８にはチューナ部１０２から中間周波信号が供給される。信号処理部１０８は、チューナ部１０２から供給される中間周波の変調波を復調・復号してトランスポートストリーム（以下、適宜ＴＳと称する）信号が受信できるか否かを判定する（ステップＳ１４）。
【００１０】
ステップＳ１４でＴＳ信号が受信できないと判定された場合には、メインＣＰＵ１０９は、メイン電源をオフとし、処理をステップＳ１１に戻し、再びサブＣＰＵ１０５がＥＷＳ信号の検出を行う。ステップＳ１４でＴＳ信号が受信できると判定された場合には、信号処理部１０８は、受信したＴＳ信号のＰＭＴ（Program Map Table）を検出する（ステップＳ１５）。
【００１１】
そして、信号処理部１０８は、ＰＭＴの緊急警報放送記述子の「start_end_flag」が「１」であるか否かを判定する（ステップＳ１６）。ステップＳ１６で「start_end_flag」が「１」でないと判定された場合には、メインＣＰＵ１０９は、メイン電源をオフとし、処理をステップＳ１１に戻し、再びサブＣＰＵ１０５がＥＷＳ信号の検出を行う。ステップＳ１６で「start_end_flag」が「１」であると判定された場合には、緊急警報放送の検出を確認したとして、信号処理部１０８でＴＳ信号をデコードし、緊急警報放送の映像信号、音声信号等を出力する。
【００１２】
このような緊急警報放送システムを様々な形で効率よく利用することで、災害による被害を最小限に抑えることが期待できる。ＴＳ信号は、複数のパケットから構成される。下記の特許文献１には、蓄積されている受信パケットについて一括して処理するようにすることと、ホストＣＰＵからの受信応答を待つ必要を無くすことで、パケット当たりの処理時間を短縮し、システム処理能力を改善する通信処理装置が記載されている。
【００１３】
【特許文献１】特開２００１−７７８４７号公報
【発明の開示】
【発明が解決しようとする課題】
【００１４】
しかしながら、上述した従来の緊急警報放送検出装置を備えた放送受信装置には、以下のような問題点がある。スタンバイ中の放送受信装置は、緊急警報放送起動用フラグが立つのを検出して放送受信装置を起動させることができるが、実際に放送受信装置を起動させる意味があるのは、ＰＭＴの中の緊急情報記述子の“start_end_flag”が「１」の場合であって、それは、実際にＴＳを受信してみないとわからない。緊急警報放送起動用フラグを有するＴＭＣＣ（Transmission and Multiplexing Configuration Control）信号は、ＢＳデジタル放送では、ＢＰＳＫ（Binary Phase Shift Keying）で変調され、地上デジタル放送では、ＤＢＰＳＫ（Differential Binary Phase Shift Keying）で変調されているため所要ＣＮ（Carrier to Noise；搬送波対雑音）が低いが、ＴＳ信号はそれ以上の高階層の変調で送られるため所要ＣＮがＴＭＣＣ信号より高く、ＴＭＣＣだけ取れてＴＳは取れないという状況が存在する。ＴＭＣＣの緊急警報放送起動用フラグの検出で放送受信装置を起動してもＰＭＴが取れないと緊急警報放送の有無を確実に判定できないため、無駄な電力を消費する可能性が高いという問題点がある。
【００１５】
この問題点を解消するために、ＴＭＣＣの緊急警報放送起動用フラグのばたつきを監視しておけばよいが、ＴＭＣＣの緊急警報放送起動用フラグは、スーパーフレーム周期での伝送となるので、閾値付近でのＣＮ変動への追従性が悪く、ＣＰＵでの緊急警報放送起動用フラグの安定性の検出に時間がかかってしまうという問題点がある。
【００１６】
したがって、この発明の目的は、緊急警報放送の検出を判定する判定時間を短縮でき、消費電力を削減することができる緊急警報放送検出装置および方法、放送受信装置および方法を提供することにある。
【課題を解決するための手段】
【００１７】
上記目的を達成するために、請求項１に係る発明は、デジタル放送における緊急警報放送を検出する緊急警報放送検出装置において、多重された複数のトランスポートストリームを受信する受信手段と、複数のトランスポートストリーム毎に設けられた緊急警報放送の開始を知らせる緊急警報放送起動用フラグを検出し、緊急警報放送起動用フラグが検出されたか否かに応じたレベルの第１の検出信号を出力する第１の検出手段と、トランスポートストリームを構成するパケットの同期バイトを検出し、同期バイトが安定して検出されたか否かに応じたレベルの第２の検出信号を出力する第２の検出手段と、第１の検出信号と第２の検出信号により、緊急警報放送起動用フラグが検出され、且つ同期バイトが安定して検出されるときに緊急警報放送がなされていると判定する判定手段とを有することを特徴とする緊急警報放送検出装置である。
【００１８】
また、請求項３に係る発明は、スタンバイ状態で検出されたデジタル放送における緊急警報放送を出力可能とされた放送受信装置において、多重された複数のトランスポートストリームを受信する受信手段と、複数のトランスポートストリーム毎に設けられた緊急警報放送の開始を知らせる緊急警報放送起動用フラグを検出し、緊急警報放送起動用フラグが検出されたか否かに応じたレベルの第１の検出信号を出力する第１の検出手段と、トランスポートストリームを構成するパケットの同期バイトを検出し、同期バイトが安定して検出されたか否かに応じたレベルの第２の検出信号を出力する第２の検出手段と、第１の検出信号と第２の検出信号により、緊急警報放送起動用フラグが検出され、且つ同期バイトが安定して検出されるときに緊急警報放送がなされていると判定する判定手段とを有し、スタンバイ状態で判定手段により緊急警報放送がなされていると判定された場合に、スタンバイ状態を解除して緊急警報放送を出力することを特徴とする放送受信装置である。
【００１９】
この発明では、多重された複数のトランスポートストリーム毎に設けられた緊急警報放送起動用フラグが検出された場合に出力される第１の検出信号と、トランスポートストリームを構成するパケットの同期バイトが安定して検出された場合に出力される第２の検出信号により、緊急警報放送起動用フラグが検出され、且つ同期バイトが安定して検出されるときに緊急警報放送がなされていると判定するため、緊急警報放送起動用フラグが検出された際に、緊急警報放送起動用フラグよりも短い周期で伝送される、トランスポートストリームを構成するパケットの同期バイトの周期で信号が安定しているか否かを判定することができる。また、緊急警報放送がなされていると判定された後で、トランスポートストリームが受信できないということを防ぐことができる。
【発明の効果】
【００２０】
この発明によれば、緊急警報放送起動用フラグが検出された際に、緊急警報放送起動用フラグよりも短い周期で伝送される、トランスポートストリームを構成するパケットの同期バイトの周期で信号が安定しているか否かを判定することができるので、緊急警報放送を受信したか否かを判定する判定時間を短縮できるという効果を奏する。また、緊急警報放送がなされていると判定された後で、トランスポートストリームが受信できないということを防止できるので、無駄な動作を減らすことができ、消費電力を削減することができるという効果を奏する。
【発明を実施するための最良の形態】
【００２１】
まず、この発明の実施の形態について説明する前に、この発明に適用可能なＭＰＥＧ（Moving Picture Experts Group）２ Systems（ＩＳＯ／ＩＥＣ１３８１８−１）に定義されるトランスポートストリーム（以下、適宜ＭＰＥＧ−ＴＳと称する）に準拠した多重信号形式の概要ついて説明する。
【００２２】
ＭＰＥＧ−ＴＳでは、番組配列情報（ＰＳＩ（Program Specific Information）／ＳＩ（Service information）、映像・音声によるテレビジョン放送、字幕・文字スーパー、データ放送等がマルチメディアサービスとして提供される。リアルタイムで視聴するテレビジョン放送および字幕・文字スーパーのデータは、ＰＥＳ（Packetized Elementary System）パケットで送られ、受信装置に蓄積されて再生されるＥＰＧおよびデータ放送は、セクションで送られる。
【００２３】
ＰＳＩは、デジタル放送における複雑な番組選択動作を可能とするためのデータであり、ＰＡＴ（Program Association Table）、ＰＭＴ（Program Map Table）、ＮＩＴ（Network Information Table）、ＣＡＴ（Conditional Access Table）の４種類のテーブルからなる。
【００２４】
ＰＡＴは、トランスポートストリーム内で現在放送中のサービス（プログラム）群の情報を定義している。ＰＭＴは、サービスを構成するコンポーネント群の情報を定義している。ＰＭＴに任意に記載される情報として緊急警報放送記述子がある。緊急警報放送記述子は、当該サービスまたは、同一トランスポートストリーム内のサービスにおいて緊急警報放送中または緊急警報信号のテスト中に、地震警戒宣言や津波警報等の緊急警報レベルや緊急警報放送対象地域などの緊急警報の詳細情報が記載される。例えば緊急警報放送中には、「start_end_flag」に「１」を記載し、緊急警報放送が終了した際には、「start_end_flag」に「０」を記載する。ＮＩＴは、ネットワーク−トランスポートストリーム−サービス間の論理構成情報を定義している。ＣＡＴは、限定受信に関連した番組情報や契約情報などが収容されるＴＳパケットのＰＩＤ（パケット識別子）を定義している。ＴＳパケットについては、後述する。
【００２５】
ＳＩは、視聴者が番組選択するためのユーザインタフェースとしての情報を構築するためのデータである。
【００２６】
複数のＰＥＳパケットとセクションが固定長のＴＳパケット単位で多重され、ＭＰＥＧ−ＴＳが構成される。ＭＰＥＧ−ＴＳは、ＴＳパケットが連続した信号列である。
【００２７】
図１は、ＴＳパケットの一例の構成を示す。ＴＳパケットは、１８８バイトで構成される。先頭の４バイトは、ヘッダと呼ばれる。ヘッダの先頭の１バイトは、ＴＳパケットの先頭を示す同期バイトである。ヘッダには、同期バイトのほか、ＰＩＤやパケットの性質を規定する情報などが記載されている。
【００２８】
ヘッダに続く１８４バイトがアダプテーションフィールドおよび／またはペイロード、すなわちデータ領域である。アダプテーションフィールドは映像や音声などのデータを格納し、ペイロードはＰＳＩを格納する。ヘッダに記載されている情報により、アダプテーションフィールドであるかペイロードであるかを区別する。
【００２９】
ＭＰＥＧ−ＴＳに伝送路符号化を施すことで、複数の変調方式を同時に用いる階層化伝送を可能とし、さらに１つの中継器上で複数の放送事業者が独立して運用することができる。以下、ＢＳデジタル放送における伝送路符号化を例として伝送路符号化の概要について説明する。
【００３０】
ＢＳデジタル放送における伝送路符号化では、複数の放送事業者からのＭＰＥＧ−ＴＳがフレームという単位で一つの信号にまとめられる。図２は、伝送路符号化の基本伝送単位であるフレームを示す。フレームは、４８個のスロット（スロット＃１〜スロット＃４８）で構成される。スロットは、上述したＭＰＥＧ−ＴＳを構成する１８８バイトのＴＳパケットにリード・ソロモン誤り訂正外符号１６バイトを付加した２０４バイトで構成される。
【００３１】
スロット＃１〜スロット＃１２の先頭の１バイト（ＴＳパケットにおける同期バイト）には、フレーム同期信号、ＴＭＣＣ情報が割り当てられる。スロット＃１，スロット＃２の先頭バイトにはフレーム前同期信号が割り当てられ、スロット＃３〜スロット＃１０の先頭バイトにはＴＭＣＣ情報が割り当てられ、スロット＃１１，スロット＃１２の先頭バイトには、フレーム後同期信号が割り当てられる。スロットは、変調方式の区分と複数ＭＰＥＧ−ＴＳの区分の最小単位であり、ＴＭＣＣ情報にスロット毎の変調方式、トランスポートストリーム番号等が記載されており、復調可能とされている。
【００３２】
フレーム信号は、スーパーフレーム周期でエネルギー拡散、インタリーブの処理を行う。図３にスーパーフレームの構成を示す。８フレーム（フレーム＃１〜フレーム＃８）により、スーパーフレームが構成される。各フレームのスロット＃１〜スロット＃１２には、上述したようにフレーム同期信号、ＴＭＣＣ情報が付加されて、内符号誤り訂正、変調がなされる。フレーム＃７，フレーム＃８のスロット＃３〜スロット＃１０には、ＴＭＣＣパリティとして、リード・ソロモン（６４，４８）が割り当てられる。したがって、ＴＭＣＣは、８×６＝４８バイト、すなわち３８４ビットで構成される。
【００３３】
上述したように、ＴＭＣＣには、スロット毎の変調方式やトランスポートストリーム番号等の情報が記載されている。放送受信装置は、まず、ＴＭＣＣ情報を取得して、電波の復調、受信するトランスポートストリームの選択を行う。ＢＳデジタル放送は、複数変調方式であり、トランスポートストリームを８ＰＳＫ（Phase Shift Keying）、ＱＰＳＫ（Quadrature Phase Shift Keying）等で変調するが、ＴＭＣＣ情報は重要な情報であるため、ＴＭＣＣを送る部分の変調方式には、これら８ＰＳＫ、ＱＰＳＫよりも低階層であり降雨や雑音に強いＢＰＳＫ（Binary Phase Shift Keying）が用いられる。
【００３４】
ＴＭＣＣの所定位置には、緊急警報放送の開始を知らせる緊急警報放送起動用フラグが設けられている。緊急警報放送起動用フラグは、緊急警報放送の放送を開始する際または緊急警報放送のテストの際に、「１」とされ、緊急警報放送を放送またはテストしている間は、「１」の状態とされる。放送受信装置では、緊急警報放送起動用フラグが「１」であること、すなわち立っていることを検出した場合に、緊急警報放送起動用フラグが検出されたとされる。緊急警報放送起動用フラグは、ＴＭＣＣの所定位置に存在するため、スーパーフレームの周期で伝送される。
【００３５】
ＢＳデジタル放送の緊急警報放送システムは、ＴＭＣＣの緊急警報放送起動用フラグと上述したＰＭＴの緊急警報放送記述子により実現される。放送事業者は、緊急警報放送を開始する場合、ＰＭＴの緊急放送記述子に「start_end_flag」、地震、津波等の種別、地域符号等の条件を設定して送出し、ＴＭＣＣの緊急警報放送起動用フラグを「１」として送出する。そして、緊急警報放送を開始する。緊急警報放送を終了する場合には、放送事業者は、ＴＭＣＣの緊急警報放送起動用フラグを「０」として送出し、ＰＭＴから緊急警報放送記述子を削除する。
【００３６】
なお、地上デジタル放送では、ＢＳデジタル放送と伝送路符号化方式が異なるが、ＴＭＣＣの緊急警報放送起動用フラグ等を利用する緊急警報放送システムの仕組みについては、上述したＢＳデジタル放送の場合と同様である。
【００３７】
ここで、図４を参照して、放送受信装置が緊急警報放送起動用フラグおよびＴＳ同期信号を受信したときの信号のばたつきについて説明する。図４Ａは、緊急警報放送起動用フラグを検出した時にハイレベルとなり、検出しない時にローレベルとなるＥＷＳ信号を示す。図４Ｂは、ＴＳ同期信号を検出した時にハイレベルとなり、検出しない時にローレベルとなるＬＯＣＫ信号を示す。
【００３８】
図４Ａおよび図４Ｂにおいて、ハイレベルまたはローレベルの状態が続く場所は、信号が比較的安定していることになる。例えば所定回数の周期でハイレベルまたはローレベルの状態が続く場合にその信号が安定していると判定することができる。図４Ａおよび図４Ｂに示すように、ＥＷＳ信号のばたつきは周期が長いが、ＬＯＣＫ信号のばたつきは、ＣＮの変動に敏感なため、閾値付近のＣＮの場合には頻繁にばたつく。ＥＷＳ信号の安定、または不安定の判定に１０秒程度時間を要するのに対して、ＬＯＣＫ信号の安定、または不安定の判定は、１秒以内で済む。
【００３９】
この発明は、以上のような実情を鑑みて発案されたものである。以下、この発明の一実施形態による放送受信装置について説明する。図５は、この発明の一実施形態によるセットトップボックスの一例の構成を示す。図６は、スタンバイ状態のセットトップボックスが緊急警報放送を出力するまでの一例の処理の流れを示す。
【００４０】
ＳＴＢ１０は、スタンバイ状態で検出されたデジタル放送における緊急警報放送を出力可能とされた放送受信装置である。ＳＴＢ１０のチューナ部１２は、受信アンテナ１１を介して、上述した伝送路符号化で説明したような、多重された複数のトランスポートストリームからなるデジタル放送信号を受信し、増幅、周波数変換、およびフィルタリング等を行った後、中間周波信号として、ＥＷＳ検出部１３および信号処理部１８に供給する。
【００４１】
ＳＴＢ１０は、メイン電源がオフとされているスタンバイ状態であっても、スタンバイ電源回路１７から供給されるスタンバイ電源でチューナ部１２、ＥＷＳ検出部１３およびサブＣＰＵ１５等が動作可能とされている。ＥＷＳ検出部１３は、チューナ部１２から供給される中間周波の変調波に復調・復号等の処理を施して緊急警報放送の開始を知らせる緊急警報放送起動用フラグを検出している。例えば、ＢＳデジタル放送の場合には、ＢＰＳＫ変調されて伝送されるＴＭＣＣ信号を復調してから後段の処理を行う。
【００４２】
ＥＷＳ検出部１３は、第１の検出として、緊急警報放送起動用フラグを検出し、緊急警報放送起動用フラグが検出されるか否かに応じたレベルの第１の検出信号であるＥＷＳ信号を出力する。ＥＷＳ信号は、例えば、緊急警報放送起動用フラグが「１」である、すなわち立っている場合に、ハイレベルとされ、緊急警報放送起動用フラグが「０」である、すなわち立っていない場合に、ローレベルとされる。この場合、緊急警報放送起動用フラグの検出とは、緊急警報放送起動用フラグが「１」であることの検出を意味する。
【００４３】
また、ＥＷＳ検出部１３は、第２の検出として、ＴＳパケットの同期バイトを検出し、ＴＳパケットの同期バイトが安定して検出されるか否かに応じたレベルの第２の検出信号であるＬＯＣＫ信号を出力する。ＬＯＣＫ信号は、例えば、所定回数のＴＳパケットの伝送周期で連続してＴＳパケットの同期バイトが検出される場合には、安定していると判定してハイレベルとされ、そうでない場合には、ローレベルとされる。
【００４４】
ＥＷＳ検出部１３は、スタンバイ状態でＥＷＳ信号およびＬＯＣＫ信号を論理回路１４に供給する（ステップＳ１）。論理回路１４は、ＥＷＳ検出部１３から供給されるＥＷＳ信号とＬＯＣＫ信号により、緊急警報放送起動用フラグが検出され、且つＴＳパケットの同期バイトが検出されるか否かに応じたレベルの信号を論理回路１４の出力信号として出力する。論理回路１４の出力信号は、サブＣＰＵ１５に供給される。サブＣＰＵ１５は、論理回路１４の出力信号に基づき、緊急警報放送起動用フラグが検出され、且つＴＳパケットの同期バイトが検出されるときに、緊急警報放送がなされていると判定する。
【００４５】
例えば、緊急警報放送起動用フラグが「１」である場合にＥＷＳ信号がハイレベルとされ、緊急警報放送起動用フラグが「０」である場合にＥＷＳ信号がローレベルとされ、所定回数のＴＳパケットの伝送周期で連続してＴＳパケットの同期バイトが検出される場合にＬＯＣＫ信号がハイレベルとされ、そうでない場合にＬＯＣＫ信号がローレベルとされる場合では、図５に示すように論理回路１４をＡＮＤ回路とすることで、サブＣＰＵ１５は、論理回路１４の出力信号がハイレベルである場合に緊急警報放送がなされていると判定することが可能であり、論理回路１４の出力信号がローレベルである場合に緊急警報放送がなされていないと判定することが可能である。
【００４６】
これらＥＷＳ信号およびＬＯＣＫ信号のハイレベル、ローレベルの組み合わせ、ならびに論理回路１４は、サブＣＰＵ１５が、論理回路１４の出力信号に基づき、緊急警報放送起動用フラグが検出され、且つＴＳパケットの同期バイトが検出されることがわかるならば、他の組み合わせを用いることもできる。
【００４７】
サブＣＰＵ１５は、供給された論理回路１４の出力信号に基づき緊急警報放送の検出を判定するために、論理回路１４の出力信号が安定しているか否かを判定する（ステップＳ２）。ステップＳ２で論理回路１４の出力信号が安定していないと判定された場合には、処理をステップＳ１に戻し、サブＣＰＵ１５は、再びステップＳ１からの処理を行う。ステップＳ２で論理回路１４の出力信号が安定していると判定され、サブＣＰＵ１５が論理回路１４の出力信号に基づき緊急警報放送を検出したと判定した場合には、サブＣＰＵ１５は、電源制御信号をメイン電源回路１６に供給する。
【００４８】
メイン電源回路１６は、サブＣＰＵ１５から供給される電源制御信号により、メイン電源をオンとする（ステップＳ３）。そして、スタンバイ状態が解除され、信号処理部１８およびメインＣＰＵ１９が動作可能とされる。なお、信号処理部１８は、メインＣＰＵ１９の制御に基づき動作する。
【００４９】
上述したように、信号処理部１８にはチューナ部１２から中間周波信号が供給される。信号処理部１８は、チューナ部１２から供給される中間周波の変調波に復調・復号等の処理を施してＴＳ信号のＰＭＴを検出する（ステップＳ４）。例えば、ＢＳデジタル放送の場合には、８ＰＳＫ変調、ＱＰＳＫ変調等による変調が施されて伝送されるＴＳ信号を復調してから後段の処理を行う。ＥＷＳ検出部１３でのＬＯＣＫ信号の出力の際に、ＴＳパケットの同期バイトが安定しているか否かを既に判定しているため、ＴＳ信号の受信が可能であるか否かを判定する必要はなくなる。
【００５０】
そして、信号処理部１８は、ＰＭＴの「start_end_flag」が「１」であるか否かを判定する（ステップＳ６）。ステップＳ６で「start_end_flag」が「１」でないと判定された場合には、メイン電源をオフとし、処理をステップＳ１に戻し、サブＣＰＵ１５は、再びステップＳ１からの処理を行う。ステップＳ６で「start_end_flag」が「１」であると判定された場合には、緊急警報放送を受信したとし、多重分離したＴＳ信号をデコードし、緊急警報放送の映像信号、音声信号等を出力する。
【００５１】
以上説明したように、この発明の一実施形態によるＳＴＢ１０によれば、チューナ部１２で多重された複数のトランスポートストリームを受信して緊急警報放送起動用フラグが検出された場合にＥＷＳ検出部１３から出力されるＥＷＳ信号と、トランスポートストリームを構成するパケットの同期バイトが安定して検出された場合にＥＷＳ検出部１３から出力されるＬＯＣＫ信号とを論理回路１４に供給する。論理回路１４は、緊急警報放送起動用フラグが検出され、且つＴＳパケットの同期バイトが検出されるか否かに応じたレベルの信号を論理回路１４の出力信号として出力する。サブＣＰＵ１５は、論理回路１４から出力される論理回路１４の出力信号に基づき緊急警報放送の検出の判定を行うことで、緊急警報放送起動用フラグよりも短い周期で伝送されるトランスポートストリームを構成するパケットの同期バイトの周期で信号が安定して受信されているか否かを判定でき、ＣＮが所要レベルの限界付近であるような受信状態が不安定な状況等であっても、ＣＮ変動への追従性が向上し、スタンバイ状態を解除する必要があるかないかの判定時間を短縮できる。すなわち、緊急警報放送を受信したか否かを判定する判定時間を短縮できる。
【００５２】
ＥＷＳ信号は、緊急警報放送起動用フラグに基づき出力され、ＬＯＣＫ信号は、ＴＳパケットの同期信号の安定、不安定に基づき出力される。図４を参照した説明から、ＥＷＳ信号のばたつき周期は長いが、ＬＯＣＫ信号のばたつきはＣＮの変動に敏感なため、閾値付近のＣＮの場合には、頻繁にばたつくことがわかる。したがって、従来のＳＴＢ１００では、サブＣＰＵ１０５がメイン電源回路１０６を制御してメイン電源をオンとするかの判定時間が１０秒程度必要としていたのに対して、この一実施形態によるＳＴＢ１０では、サブＣＰＵ１５がメイン電源回路１６を制御してメイン電源をオンとするか否かの判定時間が１秒以下に短縮でき、無駄な電力消費を抑えることができる。
【００５３】
また、ＬＯＣＫ信号が安定しているということは、ＴＳ信号が受信でき、ＰＭＴの監視が行えるということでもあるので、緊急警報放送がなされていると判定してメイン電源をオンとした後に、トランスポートストリームが受信できないということが防止され、無駄なメイン電源のオン・オフ動作を減らすことができ、消費電力を削減することができる。
【００５４】
また、スタンバイ状態での処理をスタンバイ電源回路１７から供給されるスタンバイ電源により動作するサブＣＰＵ１５の制御に基づき行い、信号処理部１８からの映像信号、音声信号等の出力をメイン電源回路１６から供給されるメイン電源により動作するメインＣＰＵの制御に基づき行うことで、メイン電源がオフの場合であっても、緊急警報放送の検出が可能であり、緊急警報放送を検出した場合に、自動でメイン電源をオンとして緊急警報放送を出力することができる。
【００５５】
この発明は、上述したこの発明の実施形態に限定されるものでは無く、この発明の要旨を逸脱しない範囲内で様々な変形や応用が可能である。例えば、上述した一実施形態では、放送受信装置をセットトップボックスとして説明したが、これに限らず、放送受信装置は、緊急警報放送検出専用の装置、デジタル放送用チューナ、デジタル放送用チューナ内蔵のテレビジョン受像機等に適用することができる。緊急警報放送検出専用の装置の場合には、メイン電源回路１６、信号処理部１８およびメインＣＰＵ１９は、必ずしも必要ではない。また、伝送路符号化方式として、ＢＳデジタル放送を一例にとりあげたが、地上デジタル放送、ＣＳ（Communication Satellite）デジタル放送、ケーブルデジタル放送、デジタルラジオ放送等の他のデジタル放送に適用することも可能である。
【図面の簡単な説明】
【００５６】
【図１】この発明に適用可能なデジタル放送に用いられるＴＳヘッダの構成を示す略線図である。
【図２】この発明に適用可能なデジタル放送に用いられるフレームの構成を示す略線図である。
【図３】この発明に適用可能なデジタル放送に用いられるスーパーフレームの構成を示す略線図である。
【図４】ＥＷＳ信号とＬＯＣＫ信号のばたつきを説明するための図である。
【図５】この発明の一実施形態による放送受信装置の一例の構成を示す図である。
【図６】この発明の一実施形態による放送受信装置での緊急警報放送を出力するまでの一例の処理の流れを示す図である。
【図７】従来の放送受信装置の一例の構成を示す図である。
【図８】従来の放送受信装置での緊急警報放送を出力するまでの一例の処理の流れを示す図である。
【符号の説明】
【００５７】
１０・・・セットトップボックス、１１・・・受信アンテナ、１２・・・チューナ部、１３・・・ＥＷＳ検出部、１４・・・論理回路、１５・・・サブＣＰＵ、１６・・・メイン電源回路、１７・・・スタンバイ電源回路、１８・・・信号処理部、１９・・・メインＣＰＵ
【図１】
2005079752.tif 000003
【図２】
2005079752.tif 000004
【図３】
2005079752.tif 000005
【図４】
2005079752.tif 000006
【図５】
2005079752.tif 000007
【図６】
2005079752.tif 000008
【図７】
2005079752.tif 000009
【図８】
2005079752.tif 000010